(57)【要約】【課題】本発明は、良好な防水効果が得られるオーディオコネクタを提供することを目的とする。【解決手段】本発明は、相手プラグが挿入される挿入孔、収納孔、及び端子溝が形成される絶縁性本体と、前記端子溝に向かって後方から前向きに挿入される複数の端子と、前記絶縁性本体の後部に装着される絶縁性シートと、接着部と、を備える。前記絶縁性本体と絶縁性シートとの間にはギャップが形成され、前記接着部が、前記ギャップを塞ぎ、前記ギャップを封じる。【選択図】図３
2014143198.tif 000002
【特許請求の範囲】
【請求項１】
相手プラグが挿入される挿入孔と、収納孔と、端子溝と、が形成される絶縁性本体と、
後方から前向きに前記端子溝に挿入される複数の端子と、
前記絶縁性本体の後部に装着される絶縁性シートと、
接着部と、を備え、
前記絶縁性本体と絶縁性シートとの間にはギャップが形成され、前記接着部が、前記ギャップを塞ぎ、前記ギャップを封じることを特徴とする防水コネクタ。
【請求項２】
前記絶縁性シートには突出部が設けられ、前記接着部が、前記絶縁性本体と突出部との間を塞ぐことを特徴とする請求項１に記載の防水コネクタ。
【請求項３】
前記複数の端子は、第１乃至第５端子を有し、各前記端子が、主体部と、接触部と、半田接続部と、を有し、
前記第３端子の主体部にはスロットが形成され、前記第２端子の接触部が、前記スロットに挿入され、前記収納孔に向かって突出することを特徴とする請求項１または２に記載の防水コネクタ。
【請求項４】
前記第３端子の主体部には、前記スロットに連通する開放部が形成され、前記第２端子の接触部が、前記開放部から前記スロットに挿入されることを特徴とする請求項３に記載の防水コネクタ。
【請求項５】
前記第２端子の主体部が、前記第２端子の接触部と連接するＵ形部を有し、前記Ｕ形部が、前記スロットの内側及び外側に位置することを特徴とする請求項３または４に記載の防水コネクタ。
【請求項６】
前記第１端子の主体部と、前記第２端子の主体部と、前記第３端子の主体部と、が、前記収納孔の一側に、前記相手プラグが挿入される方向と直交する横方向に沿って順番に配置され、
前記第４端子の主体部と、前記第５端子の主体部と、が、前記収納孔の他側に、前記横方向に沿って順番に配置され、
前記第１端子の接触部と、第３端子の接触部と、前記第２端子の接触部と、が、前記収納孔の一側に、前記相手プラグが挿入される方向に沿って順番に配置され、
前記第５端子の接触部と、前記第４端子の接触部と、が、前記収納孔の他側に、前記相手プラグが挿入される方向に沿って順番に配置されることを特徴とする請求項３から５のいずれか一項に記載の防水コネクタ。
【請求項７】
前記第１端子の半田接続部と、前記第３端子の半田接続部と、前記第５端子の半田接続部と、が、一直線に配置され、前記第２端子の半田接続部と、前記第４端子の半田接続部と、が、他の一直線に配置されることを特徴とする請求項３から６のいずれか一項に記載の防水コネクタ。
【請求項８】
第１ステップで、相手プラグが挿入される挿入孔と、収納孔と、端子溝と、が形成される絶縁性本体を準備し、
第２ステップで、複数の端子を後方から前向きに前記端子溝に挿入し、前記複数の端子は、第１乃至第５端子を有し、各前記端子が、主体部と、接触部と、半田接続部と、を有し、
第３ステップで、絶縁性シートを前記絶縁性本体の後部に装着し、接着部を用いて前記絶縁性本体と前記絶縁性シートとの間に形成されるギャップを塞ぎ、前記ギャップを封じることを特徴とする防水コネクタの組立方法。
【請求項９】
前記第３端子の主体部には、スロットと、前記スロットに連通する開放部と、が形成され、前記第２ステップで、前記第３端子を対応する端子溝に挿入した後、第２端子の接触部を前記開放部から前記スロットに挿入することを特徴とする請求項８に記載の防水コネクタの組立方法。
【請求項１０】
前記第３端子の主体部には、スロットと、前記スロットに連通する開放部と、が形成され、前記第２ステップで、前記第２端子の接触部を前記開放部から前記スロットに挿入した後、前記第２端子と前記第３端子とを一緒に対応する端子溝に挿入することを特徴とする請求項８に記載の防水コネクタの組立方法。
【発明の詳細な説明】
【技術分野】
【０００１】
本発明は、防水コネクタ及びその組立方法に関し、特に、防水オーディオコネクタ及びその組立方法に関するものである。
【背景技術】
【０００２】
従来のオーディオコネクタは、収納孔と端子溝とが形成される絶縁性本体と、前記絶縁性本体の端子溝に収納される複数の端子と、を備える。各端子は、前記収納溝に向かって突出する接触部と、前記絶縁性本体から延出する半田接続部と、を有する。
【先行技術文献】
【特許文献】
【０００３】
【特許文献１】台湾実用新案第Ｍ４３２１６９号明細書
【特許文献２】中国特許出願公開第１０２６２３８５１号明細書
【特許文献３】中国実用新案第２６８２６５０Ｙ号明細書
【発明の概要】
【発明が解決しようとする課題】
【０００４】
従来技術のオーディオコネクタは、良好な防水効果が得られない。
【０００５】
そこで、本発明の目的は、良好な防水効果が得られるオーディオコネクタを提供することにある。
【課題を解決するための手段】
【０００６】
前記目的を達成するために、本発明は、相手プラグが挿入される挿入孔、収納孔、及び端子溝が形成される絶縁性本体と、後方から前向きに前記端子溝に挿入される複数の端子と、前記絶縁性本体の後部に装着される絶縁性シートと、接着部と、を備える。前記絶縁性本体と絶縁性シートとの間にはギャップが形成され、前記接着部が、前記ギャップを塞ぎ、前記ギャップを封じる。
【発明の効果】
【０００７】
従来の技術と比べると、本発明は以下の長所を有する。本発明の絶縁性シートを前記絶縁性本体の後部に装着した後、接着部を用いて、前記絶縁性本体と絶縁性シートとの間に形成されるギャップを塞ぎ、前記ギャップを封じる。これにより、前記オーディオコネクタは、良好な防水効果が得られる。
【図面の簡単な説明】
【０００８】
【図１】本発明のオーディオコネクタの組立斜視図である。
【図２】図１に示すオーディオコネクタ及びオーディオプラグの組立斜視図である。
【図３】図１に示すオーディオコネクタ及びオーディオプラグを別の角度から見た組立斜視図である。
【図４】接着部がオーディオコネクタ及びオーディオプラグから離れる斜視図である。
【図５】絶縁性シートと接着部とがオーディオコネクタ及びオーディオプラグから離れる斜視図である。
【図６】図１に示すオーディオコネクタの分解斜視図である。
【図７】図１に示すオーディオコネクタを別の角度から見た分解斜視図である。
【図８】図２に示すオーディオコネクタ及びオーディオプラグをＡ−Ａ線に沿って切った断面図である。
【発明を実施するための形態】
【０００９】
図１〜図８に示すように、本発明のオーディオコネクタ１００は、絶縁性本体１と、前記絶縁性本体１に収納される複数の端子２と、防水のためのシール３と、絶縁性シート４と、接着部５と、を備える。
【００１０】
図１、図６及び図７を参照すると、前記絶縁性本体１は、基部１１と、首部１２と、を有する。前記首部１２には、前表面１２１と、相手プラグ６が挿入される挿入孔１２０と、が形成される。相手プラグ６は、挿入孔１２０に向かって直線的に挿入される。前記基部１１には、前記挿入孔１２０と連通する収納孔１０と、端子溝（標号示せず）と、が形成される。前記基部１１の前端には、前記シール３を設置する凹溝１１１が形成される。前記基部１１の両側には、一対の突出部１１２と、固定孔１３１が形成される一対の固定部１３と、を備える。
【００１１】
図６〜図８に示すように、前記複数の端子２は、第１乃至第５端子２１〜２５を有する。第１端子２１が、主体部２１１と、接触部２１２と、半田接続部２１３と、を有する。第２端子２２が、主体部２２１と、接触部２２２と、半田接続部２２３と、を有する。前記第２端子２２の主体部２２１が、前記第２端子２２の接触部２２２と連接するＵ形部２２４を有する。第３端子２３が、主体部２３１と、接触部２３２と、半田接続部２３３と、を有する。前記第３端子２３の主体部２３１には、スロット２３１０と、前記スロット２３１０に連通する開放部２３１１と、が形成される。前記第２端子２２の接触部２２２が、前記開放部２３１１から前記スロット２３１０に挿入される。第４端子２４が、主体部２４１と、接触部２４２と、半田接続部２４３と、を有する。第５端子２５が、主体部２５１と、接触部２５２と、半田接続部２５３と、を有する。
【００１２】
前記絶縁性シート４には、突出部４２と、複数の端子孔４１と、が設けられる。
【００１３】
前記オーディオコネクタ１００を組み立てる時、第１ステップで、前記挿入孔１２０と、収納孔１０と、端子溝と、が形成される絶縁性本体１を準備する。第２ステップで、前記複数の端子２を後方から前向きに前記端子溝に挿入する。そのステップで、前記第３端子２３を対応する端子溝に挿入した後、第２端子２２の接触部２２２を前記開放部２３１１から前記スロット２３１０に挿入する。或いは、第２端子２２の接触部２２２を前記開放部２３１１から前記スロット２３１０に挿入した後、前記第２端子２２と前記第３端子２３とを一緒に対応する端子溝に挿入する。第３ステップで、絶縁性シート４を前記絶縁性本体１の後部に装着した後、接着部５を用いて、前記絶縁性本体１と絶縁性シート４との間に形成されるギャップを塞ぎ、前記ギャップを封じ、前記絶縁性本体１と突出部４２との間を塞ぐ。前記端子２は、前記端子孔４１から延出する。第３ステップによって、前記オーディオコネクタ１００は、良好な防水効果が得られる。
【００１４】
前記組み立てたオーディオコネクタ１００において、前記第２端子２２の前記Ｕ形部２２４が、前記第３端子２３のスロット２３１０の内側及び外側に位置する。前記第１端子２１の主体部２１１と、前記第２端子２２の主体部２２１と、前記第３端子２３の主体部２３１と、が、前記収納孔１０の一側に、前記相手プラグが挿入される方向と直交する横方向に沿って順番に配置される。前記第４端子２４の主体部２４１と、前記第５端子２５の主体部２５１と、が、前記収納孔１０の他側に、前記横方向に沿って順番に配置される。前記第１端子２１の接触部２１２と、第３端子２３の接触部２３２と、前記第２端子２２の接触部２２２と、が、前記収納孔１０の一側に、前記相手プラグが挿入される方向に沿って順番に配置され、前記第５端子２５の接触部２５２と、前記第４端子２４の接触部２４２と、が、前記収納孔１０の他側に、前記相手プラグが挿入される方向に沿って順番に配置される。前記第１端子２１の半田接続部２１３と、前記第３端子２３の半田接続部２３３と、前記第５端子２５の半田接続部２５３と、が、一直線に配置される。前記第２端子２２の半田接続部２２３と、前記第４端子２４の半田接続部２４３と、が、別の一直線に配置される。
【００１５】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１６】
１００  オーディオコネクタ
１  絶縁性本体
１０  収納孔
１１  基部
１１１  凹溝
１１２  突出部
１２  首部
１２０  挿入孔
１２１  前表面
１３  固定部
１３１  固定孔
２  端子
２１  第１端子
２１１  第１主体部
２１２  第１接触部
２１３  第１半田接続部
２２  第２端子
２２１  第２主体部
２２２  第２接触部
２２３  第２半田接続部
２２４  Ｕ形部
２３  第３端子
２３１  第３主体部
２３１０  スロット
２３１１  開放部
２３２  第３接触部
２３３  第３半田接続部
２４  第４端子
２４１  第４主体部
２４２  第４接触部
２４３  第４半田接続部
２５  第５端子
２５１  第５主体部
２５２  第５接触部
２５３  第５半田接続部
４  絶縁性シート
４１  端子孔
４２  突出部
５  接着部
６  相手プラグ
【図１】
2014143198.tif 000003
【図２】
2014143198.tif 000004
【図３】
2014143198.tif 000005
【図４】
2014143198.tif 000006
【図５】
2014143198.tif 000007
【図６】
2014143198.tif 000008
【図７】
2014143198.tif 000009
【図８】
2014143198.tif 000010